(57)【要約】【課題】冷却性能の向上を図ることができるバッテリ装置を提供することである。【解決手段】実施形態のバッテリ装置は、バッテリユニットと、構造体と、シートとを持つ。前記バッテリユニットは、互いの間に隙間を空けて配置された複数のバッテリと、前記複数のバッテリを収容して前記隙間に面する第１開口部が設けられたケースとを有する。前記構造体は、前記第１開口部に向かい合う第２開口部を有する。前記シートは、前記第１開口部と前記第２開口部とを連通させる連通口を有し、前記バッテリユニットと前記構造体との間に配置される。【選択図】図５
2018195538.tif 000002
【特許請求の範囲】
【請求項１】
互いの間に隙間を空けて配置された複数のバッテリと、前記複数のバッテリを収容して前記隙間に面する第１開口部が設けられたケースとを有した第１バッテリユニットと、
前記第１開口部に向かい合う第２開口部を有した構造体と、
前記第１開口部と前記第２開口部とを連通させる第１連通口を有し、前記第１バッテリユニットと前記構造体との間に配置されたシートと、
を備えたバッテリ装置。
【請求項２】
前記構造体は、互いの間に隙間を空けて配置された複数のバッテリと、前記複数のバッテリを収容して前記隙間に面する前記第２開口部が設けられたケースとを有した第２バッテリユニットである、
請求項１に記載のバッテリ装置。
【請求項３】
前記第１開口部は、前記第１バッテリユニットにおいて前記複数のバッテリの間の隙間に沿うスロットであり、
前記第２開口部は、前記第２バッテリユニットにおいて前記複数のバッテリの間の隙間に沿うスロットである、
請求項２に記載のバッテリ装置。
【請求項４】
前記第１バッテリユニットは、複数の前記第１開口部を有し、
前記第２バッテリユニットは、複数の前記第２開口部を有し、
前記シートは、複数の前記第１開口部と複数の前記第２開口部とをそれぞれ個別に連通させる複数の前記第１連通口を有した、
請求項３に記載のバッテリ装置。
【請求項５】
前記第１連通口の外形は、前記第１開口部の外形よりも大きい、
請求項１から請求項４のうちいずれか一項に記載のバッテリ装置。
【請求項６】
前記第１バッテリユニットを収容し、内部に排気流路が形成された筐体をさらに備え、
前記構造体は、前記第１バッテリユニットが載せられる棚板と、前記第１バッテリユニットと前記排気流路との間に起立して前記第２開口部が設けられた板部材とを含み、
前記シートは、前記第１バッテリユニットと前記板部材との間に配置された、
請求項１に記載のバッテリ装置。
【請求項７】
前記ケースは、複数のバッテリモジュールを収容し、
前記複数のバッテリモジュールは、前記複数のバッテリと、前記複数のバッテリを収容するモジュールケースとをそれぞれ有し、
前記第１開口部は、前記モジュールケースに設けられた開口部を通じて前記複数のバッテリの間の隙間に面する、
請求項６に記載のバッテリ装置。
【請求項８】
前記ケースは、当該ケースの内部で前記複数のバッテリモジュールを外れた位置に空気流路が形成されるとともに、前記空気流路に面した第３開口部を有し、
前記第２開口部は、前記第１開口部および前記第３開口部に向かい合い、
前記シートは、前記第３開口部と前記第２開口部とを連通させる第２連通口を有した、
請求項７に記載のバッテリ装置。
【請求項９】
前記ケースは、当該ケースの内部で前記複数のバッテリモジュールを外れた位置に空気流路が形成されるとともに、前記空気流路に面した第３開口部を有し、
前記板部材は、前記第３開口部に向かい合う第４開口部を有し、
前記シートは、前記第３開口部と前記第４開口部とを連通させる第２連通口を有した、
請求項７に記載のバッテリ装置。
【請求項１０】
前記第１バッテリユニットは、前記棚板に面する壁と、前記壁に設けられた複数の吸気口とを有し、
前記棚板は、複数の空気供給口を有し、
前記複数の空気供給口は、前記複数のバッテリモジュールが並ぶ方向に並べられた、
請求項７から請求項９のうちいずれか一項に記載のバッテリ装置。
【請求項１１】
前記複数の空気供給口は、第１空気供給口と、前記第１空気供給口と比べて前記排気流路の近くに位置した第２空気供給口とを含み、
前記第１空気供給口の開口率は、前記第２空気供給口の開口率よりも大きい、
請求項１０に記載のバッテリ装置。
【請求項１２】
少なくとも一部が多孔体で形成されたダミーモジュールと、
互いの間に隙間を空けて配置された複数のバッテリと、前記複数のバッテリを収容して前記隙間に面する第５開口部が設けられたケースとを有した第３バッテリユニットと、
前記第５開口部に連通する連通口を有し、前記ダミーモジュールと前記第３バッテリユニットとの間に配置された別のシートと、
をさらに備えた、
請求項１から請求項１１のうちいずれか一項に記載のバッテリ装置。
【発明の詳細な説明】
【技術分野】
【０００１】
本発明の実施形態は、バッテリ装置に関する。
【背景技術】
【０００２】
複数のバッテリと、複数のバッテリを収容したケースとを有するバッテリ装置が知られている。このようなバッテリ装置は、冷却性能の向上が望まれている。
【先行技術文献】
【特許文献】
【０００３】
【特許文献１】特開２０１２−８４４８６号公報
【発明の概要】
【発明が解決しようとする課題】
【０００４】
本発明が解決しようとする課題は、冷却性能の向上を図ることができるバッテリ装置を提供することである。
【課題を解決するための手段】
【０００５】
実施形態のバッテリ装置は、バッテリユニットと、構造体と、シートとを持つ。前記バッテリユニットは、互いの間に隙間を空けて配置された複数のバッテリと、前記複数のバッテリを収容して前記隙間に面する第１開口部が設けられたケースとを有する。前記構造体は、前記第１開口部に向かい合う第２開口部を有する。前記シートは、前記第１開口部と前記第２開口部とを連通させる連通口を有し、前記バッテリユニットと前記構造体との間に配置されている。
【図面の簡単な説明】
【０００６】
【図１】第１の実施形態のバッテリパックを示す図。
【図２】第１の実施形態のバッテリモジュールを示す図。
【図３】第１の実施形態のバッテリを示す斜視図。
【図４】第１の実施形態のシートを示す正面図。
【図５】図１中に示された一点鎖線Ｆ５で囲まれた領域を拡大して示す断面図。
【図６】第２の実施形態のバッテリ盤を示す断面図。
【図７】第２の実施形態の棚板を示す下面図。
【図８】図６中に示されたバッテリ盤のＦ８−Ｆ８線に沿う断面図。
【図９】第３の実施形態のバッテリ盤を示す断面図。
【図１０】第３の実施形態のシートを示す正面図。
【図１１】第３の実施形態の変形例のバッテリ盤を示す断面図。
【図１２】第４の実施形態のバッテリ盤を示す断面図。
【図１３】第５の実施形態の棚板を示す下面図。
【発明を実施するための形態】
【０００７】
以下、実施形態のバッテリ装置を、図面を参照して説明する。なお以下の説明では、略同じまたは類似の機能を有する構成に同一の符号を付す。そして、それら構成の重複する説明は省略する場合がある。
【０００８】
ここで、＋Ｘ方向、−Ｘ方向、＋Ｙ方向、−Ｙ方向、＋Ｚ方向、および−Ｚ方向について先に定義する。＋Ｘ方向および−Ｘ方向は、後述するバッテリモジュール１０のなかで複数のバッテリ１１が並ぶ方向である。−Ｘ方向は、＋Ｘ方向の反対方向である。＋Ｘ方向と−Ｘ方向とを区別しない場合は、単に「Ｘ方向」と称する。＋Ｙ方向および−Ｙ方向は、Ｘ方向とは交差する（例えば略直交する）方向である。＋Ｙ方向および−Ｙ方向は、複数のバッテリモジュール１０が並ぶ方向である。−Ｙ方向は、＋Ｙ方向の反対方向である。＋Ｙ方向と−Ｙ方向とを区別しない場合は、単に「Ｙ方向」と称する。＋Ｚおよび−Ｚ方向は、Ｘ方向およびＹ方向とは交差する（例えば略直交する）方向である。−Ｚ方向は、＋Ｚ方向の反対方向である。＋Ｚ方向と−Ｚ方向とを区別しない場合は、単に「Ｚ方向」と称する。
【０００９】
（第１の実施形態）
まず、図１から図５を参照して、第１の実施形態について説明する。
図１は、第１の実施形態のバッテリパック１００を示す図である。バッテリパック１００は、種々の装置や、機械、設備などに電力を供給する電源装置である。本実施形態では、バッテリパック１００は、「バッテリ装置」の一例である。バッテリパック１００に含まれるバッテリモジュール１０は、「バッテリユニット」の一例である。バッテリモジュール１０のモジュールケース１３は、「ケース」の一例である。
【００１０】
図１に示すように、バッテリパック１００は、例えば、複数のバッテリモジュール１０と、複数のシート２０と、これら複数のバッテリモジュール１０および複数のシート２０を一体に収容するバッテリパックケース３０（図６参照）とを有する。ここではまず、バッテリモジュール１０について説明し、続いてシート２０について説明する。
【００１１】
図２は、本実施形態のバッテリモジュール１０を示す図である。図２に示すように、バッテリモジュール１０は、例えば、複数のバッテリ１１と、複数のバスバー１２と、モジュールケース１３とを有する。
【００１２】
バッテリ１１は、例えば扁平な直方体状の外形を有する。バッテリ１１は、例えば、リチウムイオン二次電池である。バッテリ１１の一例は、正極材にマンガン、負極材に酸化物系材料（例えばチタン酸リチウム）を用いたＳＣｉＢ（登録商標）であるが、これに限定されない。バッテリ１１は、正極材や負極材に別の材料が用いられたリチウムイオン二次電池や、ニッケル水素電池、ニッケルカドミウム電池、鉛蓄電池など、他の二次電池であってもよい。
【００１３】
図３は、本実施形態のバッテリ１１を示す斜視図である。図３に示すように、バッテリ１１は、例えば、バッテリ本体１１ａと、正極端子１１ｂと、負極端子１１ｃとを有する。バッテリ本体１１ａは、バッテリ１１の外郭を形成する金属缶ｃを有する。金属缶ｃの内部には、バッテリ１１の構成要素である正極材、負極材、絶縁フィルム、および電解質などが収容されている。
【００１４】
詳しく述べると、バッテリ本体１１ａは、上面１１ａａ、下面１１ａｂ、一対の主面１１ａｃ、および一対の側面１１ａｄを有する。上面１１ａａには、正極端子１１ｂおよび負極端子１１ｃが設けられている。下面１１ａｂは、上面１１ａａとは反対側に位置する。一対の主面１１ａｃおよび一対の側面１１ａｄは、上面１１ａａおよび下面１１ａｂとは略直交する方向に延びており、上面１１ａａの縁と下面１１ａｂの縁とを繋いでいる。一対の主面１１ａｃは、互いに略平行である。一対の主面１１ａｃの各々は、バッテリ１１の表面のなかで面積が最も広い面である。一方で、一対の側面１１ａｄは、主面１１ａｃとは略直交する方向に延びており、一対の主面１１ａｃの縁同士を繋いでいる。一対の側面１１ａｄは、互いに略平行である。側面１１ａｄは、主面１１ａｃよりも面積が狭い。正極端子１１ｂは、金属缶ｃ内の正極材に電気的に接続されている。負極端子１１ｃは、金属缶ｃ内の負極材に電気的に接続されている。
【００１５】
図２に戻り、バッテリモジュール１０の構成について説明する。図２に示すように、複数のバッテリ１１は、例えば、正極端子１１ｂおよび負極端子１１ｃを同じ方向（＋Ｚ方向）に向けるとともに、主面１１ａｃ同士を向かい合わせにして、互いに略平行に並べられている。複数のバッテリ１１は、主面１１ａｃ同士の間に冷却用の空気が流れる隙間ｇを空けて、Ｘ方向に並べられている。これらバッテリ１１を収容するモジュールケース１３の内面には、複数のバッテリ１１の間に挿入される突起部などが設けられている。複数のバッテリ１１は、モジュールケース１３の内面に設けられた突起部などによって、互いの間に隙間ｇを空けた状態で保持されている。隙間ｇは、Ｙ方向およびＺ方向に沿って広がっている。以下では、説明の便宜上、複数のバッテリ１１の間に形成された隙間ｇを「通風隙間ｇ」と称する。
【００１６】
複数のバスバー１２は、複数のバッテリ１１の端子同士を電気的に接続する。例えば、バスバー１２は、あるバッテリ１１の正極端子１１ｂと、別のバッテリ１１の負極端子１１ｃとを電気的に接続する。これにより、複数のバッテリ１１は、電気的に直列に接続されている。なお、バスバー１２は、複数のバッテリ１１を電気的に並列に接続してもよい。バスバー１２は、弾性変形することでバスバー１２の伸び縮みを吸収可能なＵ形ベンド部１２ａを含む。
【００１７】
モジュールケース１３は、複数のバッテリ１１を一体に収容する。本実施形態では、モジュールケース１３は、バッテリケース１３ｍと、端子部ケース１３ｎとに分かれている。バッテリケース１３ｍは、＋Ｚ方向が開放された箱状に形成され、複数のバッテリ１１を収容している。バッテリケース１３ｍは、下壁１３ａ、第１側壁１３ｂ、第２側壁１３ｃ、第３側壁１３ｄ，および第４側壁１３ｅを有する。
【００１８】
下壁１３ａは、Ｘ方向およびＹ方向に沿う壁部である。下壁１３ａは、複数のバッテリ１１の下面１１ａｂに面する。４つの側壁１３ｂ，１３ｃ，１３ｄ，１３ｅは、下壁１３ａの縁から＋Ｚ方向に起立している。第１側壁１３ｂおよび第２側壁１３ｃは、互いに略平行にＸ方向に延びている。第１側壁１３ｂおよび第２側壁１３ｃは、Ｙ方向においてバッテリ１１の両側に分かれて位置し、それぞれバッテリ１１の側面１１ａｄに面している。第３側壁１３ｄおよび第４側壁１３ｅは、互いに略平行にＹ方向に延びている。第３側壁１３ｄおよび第４側壁１３ｅは、Ｘ方向においてバッテリ１１の両側に分かれて位置し、それぞれバッテリ１１の主面１１ａｃに面している。
【００１９】
バッテリケース１３ｍの下壁１３ａは、通風隙間ｇに面する吸気口１４を有する。吸気口１４は、通風隙間ｇに沿う（すなわちＹ方向に沿う）細長いスロットである。吸気口１４は、１つの通風隙間ｇに対して１つ設けられている。吸気口１４は、モジュールケース１３の外部の空気をモジュールケース１３の内部（通風隙間ｇ）に流入させる吸気口として機能する。吸気口１４は、バッテリケース１３ｍの下壁１３ａにおいてバッテリ１１に面する位置には設けられていない。
【００２０】
バッテリケース１３ｍの第１側壁１３ｂは、通風隙間ｇに面する第１通風口１５を有する。第１通風口１５は、通風隙間ｇに沿う（すなわちＺ方向に沿う）細長いスロットである。第１通風口１５のＸ方向の幅は、例えば１ｍｍである。第１通風口１５は、１つの通風隙間ｇに対して１つ設けられている。第１通風口１５は、例えば、モジュールケース１３内（通風隙間ｇ内）の空気をモジュールケース１３の外部に流出させる排気口、または、モジュールケース１３の外部の空気をモジュールケース１３の内部（通風隙間ｇ）に流入させる吸気口のいずれかとして機能する。第１通風口１５は、バッテリケース１３ｍの第１側壁１３ｂにおいてバッテリ１１に面する位置には設けられていない。
【００２１】
バッテリケース１３ｍの第２側壁１３ｃは、通風隙間ｇに面する第２通風口１６を有する。第２通風口１６は、通風隙間ｇに沿う（すなわちＺ方向に沿う）細長いスロットである。第２通風口１６のＸ方向の幅は、例えば１ｍｍである。第２通風口１６は、第１通風口１５と略同じ形状を有する。第２通風口１６は、１つの通風隙間ｇに対して１つ設けられている。第２通風口１６は、例えば、モジュールケース１３内（通風隙間ｇ内）の空気をモジュールケース１３の外部に流出させる排気口、または、モジュールケース１３の外部の空気をモジュールケース１３の内部（通風隙間ｇ）に流入させる吸気口のいずれかとして機能する。第２通風口１６は、バッテリケース１３ｍの第２側壁１３ｃにおいてバッテリ１１に面する位置には設けられていない。
【００２２】
次に、端子部ケース１３ｎについて説明する。端子部ケース１３ｎは、バッテリケース１３ｍに組み合わされ、バッテリケース１３ｍの内部空間の＋Ｚ方向側を塞いでいる。例えば、端子部ケース１３ｎは、Ｚ方向に薄い扁平な箱状に形成されている。端子部ケース１３ｎは、バッテリケース１３ｍの下壁１３ａとは反対側からバッテリケース１３ｍに取り付けられ、バッテリケース１３ｍの内部空間を覆っている。端子部ケース１３ｎは、複数のバッテリ１１の正極端子１１ｂおよび負極端子１１ｃ、並びに複数のバスバー１２を収容している。端子部ケースには、吸気口１４または通風口１５，１６のような開口部は設けられていない。
【００２３】
以上のような構成のバッテリモジュール１０は、例えば、モジュールケース１３の下壁１３ａの吸気口１４からモジュールケース１３内の通風隙間ｇに空気が流入する。通風隙間ｇを流れる空気は、通風隙間ｇを流れる過程でバッテリ１１から熱を奪い、バッテリ１１の冷却を促進する。通風隙間ｇを流れた空気は、モジュールケース１３の第１側壁１３ｂの第１通風口１５および第２側壁１３ｃの第２通風口１６の少なくとも一方からモジュールケース１３の外部に流出する。
【００２４】
次に、図１に戻り、バッテリパック１００の残りの構成について説明する。図１に示すように、本実施形態では、複数のバッテリモジュール１０は、第１バッテリモジュール１０Ａ、第２バッテリモジュール１０Ｂ、および第３バッテリモジュール１０Ｃを含む。第１から第３のバッテリモジュール１０Ａ，１０Ｂ，１０Ｃは、Ｙ方向に並べて配置されている。
【００２５】
複数のバスバー１２は、第１バッテリモジュール１０Ａの１つのバッテリ１１と、第２バッテリモジュール１０Ｂの１つのバッテリ１１とを電気的に接続するバスバー１２Ａと、第１バッテリモジュール１０Ａの１つのバッテリ１１と、第３バッテリモジュール１０Ｃの１つのバッテリ１１とを電気的に接続するバスバー１２Ｂとを含む。複数のバッテリモジュール１０は、複数のバッテリモジュール１０を接続するバスバー１２の配置構造のため（例えば、複数のバッテリモジュール１０の間にＵ形ベンド部１２ａを配置するため）、および、振動発生時に複数のバッテリモジュール１０が接触しないように、Ｙ方向で互いに離して配置されている。
【００２６】
本実施形態では、第１バッテリモジュール１０Ａは、３つのバッテリモジュール１０のなかで、中央に配置されている。第２バッテリモジュール１０Ｂは、第１バッテリモジュール１０Ａの＋Ｙ方向側に配置されている。第２バッテリモジュール１０Ｂの複数の第２通風口１６は、第１バッテリモジュール１０Ａの複数の第１通風口１５と１対１で向かい合う。本実施形態では、第２バッテリモジュール１０Ｂは、「構造体」の一例である。第３バッテリモジュール１０Ｃは、第１バッテリモジュール１０Ａの−Ｙ方向側に配置されている。第３バッテリモジュール１０Ｃの複数の第１通風口１５は、第１バッテリモジュール１０Ａの複数の第２通風口１６と１対１で向かい合う。
【００２７】
次に、シート２０について説明する。シート２０は、複数のバッテリモジュール１０の間に配置される。シート２０は、Ｘ方向において、バッテリモジュール１０の全長に亘る大きさを有する。また、シート２０は、Ｚ方向において、バッテリケース１３ｍの全高に亘る大きさを有する。ただし、シート２０は、Ｚ方向において、複数のバッテリモジュール１０に亘るバスバー１２と接触しない大きさに形成されている。
【００２８】
図４は、本実施形態のシート２０を示す正面図である。シート２０は、板状に形成されている。シート２０は、例えば、合成樹脂製であり、可撓性を有する。シート２０の一例は、ゴム製であり、弾性を有する。ただし、シート２０の材質は、上記例に限定されない。例えば、シート２０は、硬質性の合成樹脂製でもよい。シート２０の厚さ（Ｙ方向の厚さ）は、例えば、１ｍｍ程度または数ｍｍ程度であるが、これに限定されない。
【００２９】
本実施形態のシート２０は、複数の連通口２１を有する。複数の連通口２１は、バッテリモジュール１０の第１通風口１５（または第２通風口１６）に沿う細長いスロットである。複数の連通口２１は、バッテリモジュール１０の第１通風口１５（または第２通風口１６）の位置に対応するように、Ｙ方向に並べられている。
【００３０】
本実施形態では、連通口２１の外形は、第１通風口１５（または第２通風口１６）の外形よりも僅かに大きい。例えば、連通口２１のＸ方向の幅は、第１通風口１５（または第２通風口１６）のＸ方向の幅よりも僅かに大きい。本実施形態では、連通口２１のＸ方向の幅は、第１通風口１５（または第２通風口１６）のＸ方向の幅の１．１〜１．２倍の大きさである。ただし、連通口２１の大きさは、上記例に限定されない。例えば、連通口２１の外形は、第１通風口１５（または第２通風口１６）の外形と略同じでもよい。
【００３１】
図１に戻り説明すると、複数のシート２０は、第１シート２０Ａと、第２シート２０Ｂとを含む。第１シート２０Ａは、第１バッテリモジュール１０Ａと、第２バッテリモジュール１０Ｂとの間に配置され、第１バッテリモジュール１０Ａのモジュールケース１３と、第２バッテリモジュール１０Ｂのモジュールケース１３との間に挟まれる。第１シート２０Ａは、第１バッテリモジュール１０Ａのモジュールケース１３の第１側壁１３ｂと、第２バッテリモジュール１０Ｂのモジュールケース１３の第２側壁１３ｃとに面する。
【００３２】
図５は、図１中に示された一点鎖線Ｆ５で囲まれた領域を拡大して示す断面図である。第１シート２０Ａの連通口２１は、第１バッテリモジュール１０Ａの第１通風口１５と、第２バッテリモジュール１０Ｂの第２通風口１６とを連通させる。本実施形態では、第１シート２０Ａの複数の連通口２１は、第１バッテリモジュール１０Ａの複数の第１通風口１５と、第２バッテリモジュール１０Ｂの複数の第２通風口１６とを、それぞれ個別に（すなわち１対１の関係で）連通させる。
【００３３】
第１シート２０Ａは、例えば接着剤や固定部材（ねじなど）によって、第１バッテリモジュール１０Ａのモジュールケース１３または第２バッテリモジュール１０Ｂのモジュールケース１３に貼り付けられている。第１シート２０Ａが第１バッテリモジュール１０Ａのモジュールケース１３または第２バッテリモジュール１０Ｂのモジュールケース１３に貼り付けられると、連通口２１と第１通風口１５との位置合わせや、連通口２１と第２通風口１６との位置合わせの精度をより向上させることができる。なお上記に代えて、第１シート２０Ａは、第１バッテリモジュール１０Ａと第２バッテリモジュール１０Ｂとの間に単に挟まれているだけでもよい。
【００３４】
図１に示すように、第２シート２０Ｂは、第１バッテリモジュール１０Ａと、第３バッテリモジュール１０Ｃとの間に配置され、第１バッテリモジュール１０Ａのモジュールケース１３と、第３バッテリモジュール１０Ｃのモジュールケース１３との間に挟まれる。第２シート２０Ｂは、第１バッテリモジュール１０Ａのモジュールケース１３の第２側壁１３ｃと、第３バッテリモジュール１０Ｃのモジュールケース１３の第１側壁１３ｂとに面する。
【００３５】
第２シート２０Ｂの連通口２１は、第１バッテリモジュール１０Ａの第２通風口１６と、第３バッテリモジュール１０Ｃの第１通風口１５とを連通させる。本実施形態では、第２シート２０Ｂの複数の連通口２１は、第１バッテリモジュール１０Ａの複数の第２通風口１６と、第３バッテリモジュール１０Ｃの複数の第１通風口１５とを、それぞれ個別に（すなわち１対１の関係で）連通させる。
【００３６】
第２シート２０Ｂは、例えば接着剤や固定部材（ねじなど）によって、第１バッテリモジュール１０Ａのモジュールケース１３または第３バッテリモジュール１０Ｃのモジュールケース１３に貼り付けられている。第２シート２０Ｂが第１バッテリモジュール１０Ａのモジュールケース１３または第３バッテリモジュール１０Ｃのモジュールケース１３に貼り付けられると、連通口２１と第１通風口１５との位置合わせや、連通口２１と第２通風口１６との位置合わせの精度をより向上させることができる。なお上記に代えて、第２シート２０Ｂは、第１バッテリモジュール１０Ａと第３バッテリモジュール１０Ｃとの間に単に挟まれているだけでもよい。
【００３７】
次に、本実施形態のバッテリパック１００の作用について説明する。本実施形態では、３つのバッテリモジュール１０は、外部から冷却用の空気が供給される吸気流路Ｐ１の上方に配置される。３つのバッテリモジュール１０の吸気口１４は、それぞれ、吸気流路Ｐ１に面する。
【００３８】
第１バッテリモジュール１０Ａでは、吸気口１４から第１バッテリモジュール１０Ａの通風隙間ｇに空気が流入する。第１バッテリモジュール１０Ａの通風隙間ｇを通過した空気は、第１バッテリモジュール１０Ａの第１通風口１５および第２通風口１６から第１バッテリモジュール１０Ａの外部に流出する。
【００３９】
第１バッテリモジュール１０Ａの第１通風口１５から第１バッテリモジュール１０Ａの外部に流出する空気は、第１シート２０Ａの連通口２１を通り、第２バッテリモジュール１０Ｂの第２通風口１６から第２バッテリモジュール１０Ｂの通風隙間ｇに流入する。また、第２バッテリモジュール１０Ｂの通風隙間ｇには、第２バッテリモジュール１０Ｂの吸気口１４からも空気が流入する。第２バッテリモジュール１０Ｂの通風隙間ｇを通過した空気は、第２バッテリモジュール１０Ｂの第１通風口１５から第２バッテリモジュール１０Ｂの外部に流出する。
【００４０】
一方で、第１バッテリモジュール１０Ａの第２通風口１６から第１バッテリモジュール１０Ａの外部に流出する空気は、第２シート２０Ｂの連通口２１を通り、第３バッテリモジュール１０Ｃの第１通風口１５から第３バッテリモジュール１０Ｃの通風隙間ｇに流入する。また、第３バッテリモジュール１０Ｃの通風隙間ｇには、第３バッテリモジュール１０Ｃの吸気口１４からも空気が流入する。第３バッテリモジュール１０Ｃの通風隙間ｇを通過した空気は、第３バッテリモジュール１０Ｃの第２通風口１６から第３バッテリモジュール１０Ｃの外部に流出する。
【００４１】
以上のような構成のバッテリパック１００によれば、冷却性能の向上を図ることができる。ここで比較例として、シート２０を有しないバッテリパックについて考える。この比較例のバッテリパックでは、複数のバッテリモジュールを接続するバスバーの配置構造やその他の理由で複数のバッテリモジュールの間に隙間が存在する。この場合、あるバッテリモジュールの通風口と別のバッテリモジュールの通風口との間の空気流路は、複数のバッテリモジュールの間で上記隙間によって大きく拡大されている。このため、あるバッテリモジュールの通風口から流出した空気の一部が上記隙間に流入して渦流れ（循環流れ）や漏れ流れとなり、圧損が生じる場合がある。
【００４２】
一方で、本実施形態では、バッテリパック１００（バッテリ装置）は、第１通風口１５（第１開口部）を有した第１バッテリモジュール１０Ａ（第１バッテリユニット）と、第２通風口１６（第２開口部）を有した第２バッテリモジュール１０Ｂ（構造体、第２バッテリユニット）と、第１通風口１５と第２通風口１６とを連通させる連通口２１を有し、第１バッテリモジュール１０Ａと第２バッテリモジュール１０Ｂとの間に配置されたシート２０とを備える。このような構成によれば、第１バッテリモジュール１０Ａと第２バッテリモジュール１０Ｂとの間において空気流路が大きく拡大することが抑制され、第１バッテリモジュール１０Ａから第２バッテリモジュール１０Ｂに向かう空気の流れに渦流れや漏れ流れが生じることを抑制することができる。これにより、第１バッテリモジュール１０Ａと第２バッテリモジュール１０Ｂとの間における圧損を低減することができ、比較的簡単な構成で冷却性能の向上を図ることができる。また、シート２０が弾性を有する場合、振動発生時などに複数のバッテリモジュール１０が互いに衝突することをより確実に抑制することもできる。
【００４３】
本実施形態では、第１通風口１５は、第１バッテリモジュール１０Ａにおいて複数のバッテリ１１の間の通風隙間ｇに沿うスロットである。第２通風口１６は、第２バッテリモジュール１０Ｂにおいて複数のバッテリ１１の間の通風隙間ｇに沿うスロットである。そして、シート２０の連通口２１は、上記のような第１通風口１５と第２通風口１６とを連通させる。このような構成によれば、第１バッテリモジュール１０Ａと第２バッテリモジュール１０Ｂとの間において空気流路が大きく拡大しやすいスロット状の通風口１５，１６をシート２０の連通口２１によって繋げることができる。これにより、第１バッテリモジュール１０Ａから第２バッテリモジュール１０Ｂに向かう空気の流れに渦流れや漏れ流れが生じることをさらに抑制することができ、冷却性能のさらなる向上を図ることができる。
【００４４】
本実施形態では、第１バッテリモジュール１０Ａは、複数の第１通風口１５を有する。第２バッテリモジュール１０Ｂは、複数の第２通風口１６を有する。シート２０は、複数の第１通風口１５と複数の第２通風口１６とをそれぞれ個別に連通させる複数の連通口２１を有する。このような構成によれば、複数の第１通風口１５と複数の第２通風口１６とをそれぞれ連通させることで、第１バッテリモジュール１０Ａと第２バッテリモジュール１０Ｂとの間において空気流路が拡大することをさらに効果的に抑制することができる。これにより、冷却性能のさらなる向上を図ることができる。
【００４５】
本実施形態では、シート２０の連通口２１の外形は、第１バッテリモジュール１０Ａの第１通風口１５の外形よりも大きい。このような構成によれば、第１バッテリモジュール１０Ａの第１通風口１５とシート２０の連通口２１との位置合わせが少しずれた場合であっても、第１通風口１５と第２通風口１６との間の空気流路が狭くなることを抑制することができる。これにより、組立誤差が生じる場合でも、第１バッテリモジュール１０Ａから第２バッテリモジュール１０Ｂに向かう空気流れをスムーズにすることができ、冷却性能のさらなる向上を図ることができる。
【００４６】
（第２の実施形態）
次に、図６から図８を参照し、第２の実施形態について説明する。本実施形態は、複数のバッテリパック１００を含むバッテリ盤１０００に関する点で第１の実施形態とは異なる。なお、以下に説明する以外の構成は、第１の実施形態の構成と同様である。以降の実施形態では、バッテリ盤１０００の筐体２００に対するバッテリパック１００の挿入方向を基準に、手前側を「前」、奥側を「後」と称する場合がある。
【００４７】
図６は、本実施形態のバッテリ盤１０００を示す断面図である。バッテリ盤１０００は、例えば、複数のバッテリパック１００と、筐体２００と、ラック（支持構造体）３００と、取付構造４００とを備えている。
【００４８】
複数のバッテリパック１００は、Ｚ方向に多段に配置されている。各バッテリパック１００は、例えば、複数のバッテリモジュール１０と、複数のシート２０と、バッテリパックケース３０とを有する。複数のバッテリモジュール１０の各々は、第１の実施形態のバッテリモジュール１０と略同じ構成および機能を有する。
【００４９】
本実施形態では、複数のバッテリモジュール１０は、第１バッテリモジュール１０Ａ、第２バッテリモジュール１０Ｂ、第３バッテリモジュール１０Ｃ、および第４バッテリモジュール１０Ｄを含む。第１から第４のバッテリモジュール１０Ａ，１０Ｂ，１０Ｃ，１０Ｄは、Ｙ方向に並べられている。第１および第２のバッテリモジュール１０Ａ，１０Ｂは、第３バッテリモジュール１０Ｃと第４バッテリモジュール１０Ｄとの間に位置する。言い換えると、第３バッテリモジュール１０Ｃおよび第４バッテリモジュール１０Ｄは、複数のバッテリモジュール１０のなかで両端部に分かれて位置する。また、複数のシート２０の各々は、第１の実施形態のシート２０と略同じ構成および機能を有し、複数のバッテリモジュール１０の間に配置されている。
【００５０】
バッテリパックケース３０は、複数のバッテリモジュール１０および複数のシート２０を一体に収容している。言い換えると、バッテリパックケース３０は、複数のバッテリモジュール１０を収容することで、各バッテリモジュール１０に含まれる複数のバッテリ１１を収容している。バッテリパックケース３０は、例えば、上壁３０ａ、下壁３０ｂ、第１壁（後壁）３０ｃ、第２壁（前壁）３０ｄ、および一対の側壁３０ｅ，３０ｆ（図８参照）を含む。
【００５１】
上壁３０ａおよび下壁３０ｂは、Ｘ方向およびＹ方向に沿って延びている。本実施形態では、上壁３０ａおよび下壁３０ｂは、略水平方向に沿っている。上壁３０ａには、空気が通る開口部は設けられていない。下壁３０ｂは、ラック３００の後述する棚板３１０に面する。下壁３０ｂは、各バッテリモジュール１０の吸気口１４に向かう合う複数の吸気口３１（見易さを優先して図中では実線で示す）を有する。例えば、吸気口３１は、バッテリモジュール１０の吸気口１４と略同じ形状の細長いスロットである。本実施形態では、吸気口３１は、バッテリモジュール１０の１つの吸気口１４に対して１つ設けられている。なお、吸気口３１は、上記例に代えて、バッテリモジュール１０の複数の吸気口１４に亘る大きさを有してもよい。吸気口３１は、棚板３１０の後述する空気供給口３１１に面する。吸気口３１は、後述する吸気流路Ｐ１を流れる空気をバッテリパックケース３０の内部に流入させる。
【００５２】
第１壁３０ｃおよび第２壁３０ｄは、Ｚ方向に起立している。第１壁３０ｃは、筐体２００の奥側に位置し、ラック３００の後述する背面板３２０に面する。一方で、第２壁３０ｄは、第１壁３０ｃとは反対側に位置する。
【００５３】
第１壁３０ｃは、４つのバッテリモジュール１０のなかで端に位置した第３バッテリモジュール１０Ｃの第１通風口１５に向かう合う複数の通風口３２（見易さを優先して図中では実線で示す）を有する。通風口３２は、第３バッテリモジュール１０Ｃの第１通風口１５と略同じ形状の細長いスロットである。例えば、通風口３２は、第３バッテリモジュール１０Ｃの１つの第１通風口１５に対して１つ設けられている。なお、通風口３２は、上記例に代えて、第３バッテリモジュール１０Ｃの複数の第１通風口１５に亘る大きさを有してもよい。通風口３２は、第３バッテリモジュール１０Ｃの第１通風口１５を通じて、第３バッテリモジュール１０Ｃ内の通風隙間ｇに面している。通風口３２は、例えば、バッテリパックケース３０内の空気をバッテリパックケース３０の外部に流出させる排気口として機能する。
【００５４】
本実施形態では、バッテリパックケース３０の内部には、板ばねのような押圧部材３３が設けられている。押圧部材３３は、複数のバッテリモジュール１０を第１壁３０ｃに向けて押圧する。これにより、複数のバッテリモジュール１０とシート２０とが密着する。また、押圧部材３３により押圧されることで、複数のバッテリモジュール１０は、バッテリパックケース３０の内部の中央部よりも第１壁３０ｃの近くに偏って位置する。複数のバッテリモジュール１０と第２壁３０ｄとの間には、第１空気流路３４が形成されている。なお、バッテリパックケース３０の内部には、押圧部材３３に代えて、複数のバッテリモジュール１０の位置を固定する固定構造（例えば、バッテリパックケース３０の内面に設けられた突起部など）が設けられてもよい。
【００５５】
また、バッテリパックケース３０の内部において、複数のバッテリモジュール１０の上方には、第２空気流路３５が形成されている。複数のバッテリモジュール１０の上方は、「バッテリパックケース３０の内部において複数のバッテリモジュール１０を外れた位置」の一例である。第２空気流路３５は、第１壁３０ｃと第２壁３０ｄとの間に亘り延びている。第２空気流路３５は、第１空気流路３４と繋がっている。また、第１壁３０ｃは、第２空気流路３５内の空気がバッテリパックケース３０の外部に流出可能な上部通風口３６を有する。上部通風口３６は、Ｙ方向において、第２空気流路３５に向かい合う。
【００５６】
筐体２００は、複数のバッテリパック１００、ラック３００、および取付構造４００を一体に収容している。筐体２００は、例えば、上壁２０１、下壁２０２、後壁２０３、および側壁（不図示）を含む。後壁２０３は、筐体２００の端部において、Ｚ方向に起立している。
【００５７】
ラック３００は、筐体２００の内部に配置されている。本実施形態では、ラック３００は、筐体２００内に設けられた内部構造体であり、「構造体」の一例である。ラック３００は、複数の棚板３１０と、背面板３２０とを有する。複数の棚板３１０は、互いに異なる高さに配置されるとともに、互いに略平行に延びている。複数のバッテリパック１００は、それぞれ棚板３１０の上に載せられる。
【００５８】
筐体２００の内部において棚板３１０の下方には、外部から冷却用の空気が供給される吸気流路Ｐ１が形成されている。吸気流路Ｐ１は、棚板３１０の下面と当該棚板３１０の下方に位置するバッテリパック１００との間、または、棚板３１０の下面と筐体２００の下壁２０２との間に形成されている。吸気流路Ｐ１は、Ｙ方向に延びている。
【００５９】
図７は、棚板３１０を示す下面図である。図７に示すように、棚板３１０は、複数の空気供給口３１１を有する。複数の空気供給口３１１は、Ｘ方向に沿う細長い矩形状に形成されている。複数の空気供給口３１１は、Ｙ方向に並んでいる。言い換えると、複数の空気供給口３１１は、複数のバッテリモジュール１０が並ぶ方向に並べられている。空気供給口３１１は、吸気流路Ｐ１を通る空気の一部を、バッテリパック１００の吸気口３１に向けて通す。
【００６０】
次に、背面板３２０について説明する。図６に示すように、背面板３２０は、バッテリパック１００と筐体２００の後壁２０３との間で、Ｚ方向に起立している。背面板３２０は、「板部材」の一例である。筐体２００の内部において背面板３２０と筐体２００の後壁２０３との間には、排気流路Ｐ２が形成されている。言い換えると、背面板３２０は、排気流路Ｐ２の一面を規定している。排気流路Ｐ２は、Ｚ方向に沿って延びている。筐体２００の上壁２０１は、排気流路Ｐ２の空気を筐体２００の外部に流出させる排気口２０１ａを有する。
【００６１】
背面板３２０は、複数の空気排出口３２１を有する。各空気排出口３２１は、バッテリパック１００の通風口３２および上部通風口３６に面する。空気排出口３２１は、バッテリパック１００の内部から通風口３２および上部通風口３６を通じてバッテリパック１００の外部に流出する空気を、排気流路Ｐ２に向けて通す。
【００６２】
次に、取付構造４００について説明する。図８は、図６中に示されたバッテリ盤１０００のＦ８−Ｆ８線に沿う断面図である。図８に示すように、ラック３００は、−Ｙ方向の端部に、取付部３３０を有する。取付部３３０は、Ｘ方向に沿うように折れ曲がっている。なお、取付部３３０は、ラック３００に代えて、筐体２００に設けられてもよい。
【００６３】
取付構造４００は、押さえ部材４０１と、固定部材４０２とを有する。押さえ部材４０１は、バッテリパック１００に対して−Ｙ方向側に位置する。押さえ部材４０１は、ボルトのような固定部材４０２によって取付部３３０に固定される。押さえ部材４０１は、取付部３３０に固定されることで、Ｙ方向においてバッテリパック１００に向かい合う。これにより、バッテリパック１００が筐体２００から外れなくなる。
【００６４】
次に、本実施形態のバッテリ盤１０００の作用について説明する。本実施形態では、吸気流路Ｐ１に対して外部から冷却用の空気が供給される。吸気流路Ｐ１に供給された空気は、吸気流路Ｐ１の内部を＋Ｙ方向に沿って流れる。吸気流路Ｐ１を流れる空気は、棚板３１０の空気供給口３１１およびバッテリパックケース３０の吸気口３１を通じて、第１から第４のバッテリモジュール１０Ａ，１０Ｂ，１０Ｃ，１０Ｄの吸気口１４に流入する。
【００６５】
第１バッテリモジュール１０Ａでは、吸気口１４から第１バッテリモジュール１０Ａの通風隙間ｇに空気が流入する。第１バッテリモジュール１０Ａの通風隙間ｇを通過した空気は、第１バッテリモジュール１０Ａの第１通風口１５から第１バッテリモジュール１０Ａの外部に流出する。第１バッテリモジュール１０Ａの第１通風口１５から第１バッテリモジュール１０Ａの外部に流出する空気は、シート２０の連通口２１を通り、第３バッテリモジュール１０Ｃの第２通風口１６から第３バッテリモジュール１０Ｃの通風隙間ｇに流入する。また、第３バッテリモジュール１０Ｃの通風隙間ｇには、第３バッテリモジュール１０Ｃの吸気口１４からも空気が流入する。第３バッテリモジュール１０Ｃの通風隙間ｇを通過した空気は、第３バッテリモジュール１０Ｃの第１通風口１５から第３バッテリモジュール１０Ｃの外部に流出する。第３バッテリモジュール１０Ｃの外部に流出する空気は、バッテリパックケース３０の通風口３２および背面板３２０の空気排出口３２１を通じて、排気流路Ｐ２に排気される。
【００６６】
一方で、第２バッテリモジュール１０Ｂでは、吸気口１４から第２バッテリモジュール１０Ｂの通風隙間ｇに空気が流入する。第２バッテリモジュール１０Ｂの通風隙間ｇを通過した空気は、第２バッテリモジュール１０Ｂの第２通風口１６から第２バッテリモジュール１０Ｂの外部に流出する。第２バッテリモジュール１０Ｂの第２通風口１６から第２バッテリモジュール１０Ｂの外部に流出する空気は、シート２０の連通口２１を通り、第４バッテリモジュール１０Ｄの第１通風口１５から第４バッテリモジュール１０Ｄの通風隙間ｇに流入する。また、第４バッテリモジュール１０Ｄの通風隙間ｇには、第４バッテリモジュール１０Ｄの吸気口１４からも空気が流入する。第４バッテリモジュール１０Ｄの通風隙間ｇを通過した空気は、第４バッテリモジュール１０Ｄの第２通風口１６から第４バッテリモジュール１０Ｄの外部に流出する。第４バッテリモジュール１０Ｄの外部に流出する空気は、バッテリパックケース３０の第１空気流路３４、第２空気流路３５、上部通風口３６、および背面板３２０の空気排出口３２１を通じて、排気流路Ｐ２に排気される。
【００６７】
このような構成によれば、第１の実施形態と同様に、複数のバッテリモジュール１０の間で渦流流れが生じることを抑制することができる。これにより、冷却性能の向上を図ることができるバッテリ盤１０００を提供することができる。
【００６８】
（第３の実施形態）
次に、図９および図１０を参照し、第３の実施形態について説明する。本実施形態は、バッテリパック１００と背面板３２０との間にもシート５００が設けられた点で第２の実施形態とは異なる。なお、以下に説明する以外の構成は、第２の実施形態の構成と同様である。本実施形態では、１つの観点によれば、バッテリ盤１０００は、「バッテリ装置」の一例である。バッテリパック１００は、「バッテリユニット」の一例である。バッテリパック１００のバッテリパックケース３０は、「ケース」の一例である。
【００６９】
図９は、本実施形態のバッテリ盤１０００を示す断面図である。バッテリ盤１０００は、例えば、複数のバッテリパック１００と、筐体２００と、ラック３００と、取付構造４００と、複数のシート５００とを備えている。
【００７０】
シート５００は、バッテリパック１００と背面板３２０との間に配置される。シート５００は、Ｘ方向において、バッテリパック１００の全幅に亘る大きさを有する。また、シート５００は、Ｚ方向において、バッテリパック１００の全高に亘る大きさを有する。
【００７１】
図１０は、本実施形態のシート５００を示す正面図である。シート５００は、板状に形成されている。シート５００は、例えば、合成樹脂製であり、可撓性を有する。シート５００の一例は、ゴム製であり、弾性を有する。ただし、シート５００の材質は、上記例に限定されない。例えば、シート５００は、硬質性の合成樹脂製でもよい。シート５００の厚さ（Ｙ方向の厚さ）は、例えば、１ｍｍ程度または数ｍｍ程度であるが、これに限定されない。
【００７２】
本実施形態のシート５００は、複数の第１連通口５０１と、１つの第２連通口５０２とを有する。複数の第１連通口５０１は、バッテリパック１００の通風口３２に沿う（すなわちＺ方向に沿う）細長いスロットである。第１連通口５０１は、１つの通風口３２に対して１つ設けられている。複数の第１連通口５０１は、バッテリパック１００の通風口３２の位置に対応するように、Ｘ方向に並べられている。
【００７３】
本実施形態では、第１連通口５０１の外形は、通風口３２の外形よりも僅かに大きい。例えば、第１連通口５０１のＸ方向の幅は、通風口３２のＸ方向の幅よりも僅かに大きい。本実施形態では、第１連通口５０１のＸ方向の幅は、通風口３２のＸ方向の幅の１．１〜１．２倍の大きさである。ただし、第１連通口５０１の大きさは、上記例に限定されない。例えば、第１連通口５０１の外形は、通風口３２の外形と略同じでもよい。
【００７４】
一方で、第２連通口５０２は、Ｘ方向に延びた細長い矩形状に形成されている。第２連通口５０２は、Ｘ方向において複数の第１連通口５０１を跨いで延びる大きさを有する。第２連通口５０２は、バッテリパック１００の上部通風口３６の位置に対応して設けられている。
【００７５】
図９に戻り説明すると、シート５００は、バッテリパック１００のバッテリパックケース３０と、ラック３００の背面板３２０との間に挟まれる。シート５００は、バッテリパック１００のバッテリパックケース３０の第１壁３０ｃに面する。背面板３２０の空気排出口３２１は、例えば、シート５００の複数の第１連通口５０１および第２連通口５０２に向かい合う大きさを有する。
【００７６】
シート５００の第１連通口５０１は、Ｙ方向において、バッテリパック１００の通風口３２に向かい合う。シート５００の第１連通口５０１は、バッテリパック１００の通風口３２と、背面板３２０の空気排出口３２１とを連通させる。バッテリパック１００の通風口３２からバッテリパック１００の外部に流出する空気は、シート５００の第１連通口５０１および背面板３２０の空気排出口３２１を通り、排気流路Ｐ２に排気される。
【００７７】
一方で、シート５００の第２連通口５０２は、Ｙ方向において、バッテリパック１００のバッテリパックケース３０の上部通風口３６に向かい合う。シート５００の第２連通口５０２は、バッテリパック１００の上部通風口３６と、背面板３２０の空気排出口３２１とを連通させる。バッテリパック１００の上部通風口３６からバッテリパック１００の外部に流出する空気は、シート５００の第２連通口５０２および背面板３２０の空気排出口３２１を通り、排気流路Ｐ２に排気される。
【００７８】
シート５００は、例えば接着剤や固定部材（ねじなど）によって、バッテリパック１００のバッテリパックケース３０または背面板３２０に貼り付けられている。シート５００がバッテリパック１００のバッテリパックケース３０または背面板３２０に貼り付けられると、第１連通口５０１と通風口３２との位置合わせ、および第２連通口５０２と上部通風口３６との位置合わせの精度をより向上させることができる。なお上記に代えて、シート５００は、バッテリパック１００と背面板３２０との間に単に挟まれているだけでもよい。
【００７９】
本実施形態では、バッテリパック１００は、押さえ部材４０１が取付部３３０に固定されることで、押さえ部材４０１によってシート５００に押し付けられる。これにより、バッテリパック１００とシート５００とが密着するとともに、シート５００と背面板３２０とが密着する。
【００８０】
以上のような構成によれば、第１の実施形態と同様に、冷却性能の向上を図ることができる。ここで比較例として、シート５００を有しないバッテリ盤について考える。この比較例のバッテリ盤では、バッテリパックと背面板との間に隙間が存在する場合がある。この場合、バッテリパックの通風口および上部通風口と背面板の空気排出口との間の空気流路は、バッテリパックと背面板との間で上記隙間によって大きく拡大される。このため、バッテリパックの通風口から流出した空気の一部が上記隙間に流入して渦流れや漏れ流れとなり、圧損が生じる場合がある。
【００８１】
一方で、本実施形態では、バッテリ盤１０００（バッテリ装置）は、通風口３２（第１開口部）を有したバッテリパック１００（第１バッテリユニット）と、空気排出口３２１（第２開口部）を有した背面板３２０を含むラック３００（構造体）と、バッテリパック１００の通風口３２と背面板３２０の空気排出口３２１とを連通させる第１連通口５０１を有し、バッテリパック１００と背面板３２０との間に配置されたシート５００とを備える。このような構成によれば、バッテリパック１００と背面板３２０との間において空気流路が大きく拡大することが抑制され、バッテリパック１００から排気流路Ｐ２に向かう空気の流れに渦流れや漏れ流れが生じることを抑制することができる。これにより、バッテリパック１００と背面板３２０との間における圧損を低減することができ、比較的簡単な構成で冷却性能の向上を図ることができる。また、シート５００が弾性を有する場合、振動発生時などにバッテリパック１００と背面板３２０とが衝突することをより確実に抑制することもできる。
【００８２】
本実施形態では、バッテリパックケース３０は、当該バッテリパックケース３０の内部に空気流路３５が形成されるとともに、空気流路３５に面する上部通風口３６（第３開口部）を有する。シート５００は、バッテリパック１００の上部通風口３６と背面板３２０の空気排出口３２１とを連通させる第２連通口５０２を有する。このような構成によれば、バッテリパック１００から排気流路Ｐ２に向かう空気の流れに渦流れや漏れ流れが生じることをさらに抑制することができる。これにより、冷却性能のさらなる向上を図ることができる。
【００８３】
本実施形態では、バッテリパック１００は、棚板３１０に面する下壁３０ｂに複数の吸気口３１を有する。棚板３１０は、複数の空気供給口３１１を有する。複数の空気供給口３１１は、複数のバッテリモジュール１０が並ぶ方向に並べられている。このような構成によれば、複数のバッテリモジュール１０に対して冷却用の空気を供給しやすくなる。
【００８４】
（第３の実施形態の変形例）
図１１は、第３の実施形態の変形例のバッテリ盤１０００を示す断面図である。上述した第３の実施形態では、背面板３２０の空気排出口３２１は、バッテリパック１００の通風口３２および上部通風口３６の両方に面する形状を有する。一方で、本変形例では、背面板３２０は、バッテリパック１００の通風口３２に面する第１空気排出口３２１Ａと、バッテリパック１００の上部通風口３６に面する第２空気排出口３２１Ｂとが別々に設けられている。
【００８５】
そして、本変形例では、シート５００は、バッテリパック１００の通風口３２（第１開口部）と、背面板３２０の第１空気排出口３２１Ａ（第２開口部）とを連通させる第１連通口５０１を有する。また、シート５００は、バッテリパック１００の上部通風口３６（第３開口部）と、背面板３２０の第２空気排出口３２１Ｂ（第４開口部）とを連通させる第２連通口５０２を有する。このような構成によっても、上述の第３の実施形態と同様に、バッテリパック１００から排気流路Ｐ２に向かう空気の流れに渦流れや漏れ流れが生じることを抑制することができる。
【００８６】
（第４の実施形態）
次に、図１２を参照し、第４の実施形態について説明する。本実施形態は、１つ以上のバッテリモジュール１０に代えてダミーモジュール５０が設けられた点で第２の実施形態とは異なる。なお、以下に説明する以外の構成は、第２の実施形態の構成と同様である。
【００８７】
図１２は、本実施形態のバッテリ盤１０００を示す断面図である。本実施形態では、バッテリモジュール１０の数が少ないバッテリパック１００の内部には、ダミーモジュール５０が配置されている。ダミーモジュール５０は、電力供給機能を持たない。例えば、ダミーモジュール５０は、第１バッテリモジュール１０Ａまたは第２バッテリモジュール１０Ｂに代えて配置される。
【００８８】
ダミーモジュール５０の外形は、バッテリモジュール１０の外形と略同じである。ダミーモジュール５０の少なくとも一部は、所望の空隙率を有した多孔体で形成されている。「空隙率」とは、単位体積当たりの空間の割合を意味する。ダミーモジュール５０は、バッテリモジュール１０の数が少ないバッテリパック１００内の通風抵抗を調整するために設けられている。
【００８９】
ダミーモジュール５０は、例えば、ダミーモジュール本体５１と、カバー５２とを有する。ダミーモジュール本体５１は、多孔体で形成されている。バッテリパックケース３０の吸気口３１からバッテリパックケース３０内に流入する空気の一部は、ダミーモジュール本体５１の内部を通って流れることができる。カバー５２は、ダミーモジュール本体５１の上面に取り付けられている。カバー５２は、ダミーモジュール本体５１から上方に空気が抜けることを抑制または防止する。
【００９０】
本実施形態では、ダミーモジュール５０の通風抵抗は、例えば空隙率が所望の値に調整されることで、バッテリモジュール１０の通風抵抗と略同じに設定される。例えば、ダミーモジュール５０の空隙率は、ダミーモジュール５０がシート２０に隣接した状態（シート２０によって多孔体の一部が塞がれた状態）で、ダミーモジュール５０とバッテリモジュール１０とが略同じ通風抵抗を持つように設定されている。このようなダミーモジュール５０が設けられると、バッテリパック１００に含まれるバッテリモジュール１０の数によって特定箇所の空気流量が減ったり増えたりすることを抑制することができる。これにより、複数のバッテリモジュール１０に対して空気を均一に供給しやすくなる。これは、冷却性能の向上に寄与する。
【００９１】
本実施形態では、いくつかのシート２０は、ダミーモジュール５０とバッテリモジュール１０との間に配置される。例えば、１つのシート２０は、ダミーモジュール５０と第３バッテリモジュール１０Ｃとの間に配置される。シート２０の連通口２１は、第３バッテリモジュール１０Ｃの第２通風口１６に連通している。ダミーモジュール５０の内部を通った空気は、シート２０の連通口２１を通り、第３バッテリモジュール１０Ｃの第２通風口１６に流入する。
【００９２】
また別のシート２０は、ダミーモジュール５０と第４バッテリモジュール１０Ｄとの間に配置される。シート２０の連通口２１は、第４バッテリモジュール１０Ｄの第１通風口１５に連通している。ダミーモジュール５０の内部を通った空気は、シート２０の連通口２１を通り、第４バッテリモジュール１０Ｄの第１通風口１５に流入する。
【００９３】
このような構成によれば、第１の実施形態と同様に、複数のバッテリモジュール１０の間で渦流れや漏れ流れが生じることを抑制することができ、冷却性能の向上を図ることができる。また、本実施形態では、バッテリパック１００は、少なくとも一部が多孔体で形成されたダミーモジュール５０と、第２通風口１６（第５開口部）を有した第３バッテリモジュール１０Ｃ（第３バッテリユニット）と、第３バッテリモジュール１０Ｃの第２通風口１６に連通する連通口２１を有し、ダミーモジュール５０と第３バッテリモジュール１０Ｃとの間に配置されたシート２０とを備える。このような構成によれば、ダミーモジュール５０と第３バッテリモジュール１０Ｃとの間においても渦流れや漏れ流れが生じることを抑制することができ、冷却性能のさらなる向上を図ることができる。
【００９４】
（第５の実施形態）
次に、図１３を参照し、第５の実施形態について説明する。本実施形態は、棚板３１０に設けられた複数の空気供給口３１１が互いに異なる開口率を有する点で第２の実施形態とは異なる。なお、以下に説明する以外の構成は、第２の実施形態の構成と同様である。
【００９５】
図１３は、本実施形態の棚板３１０を示す下面図である。図１３に示すように、複数の空気供給口３１１は、複数の第１空気供給口３１１Ａと、複数の第２空気供給口３１１Ｂと、複数の第３空気供給口３１１Ｃとを含む。
【００９６】
複数の第１空気供給口３１１Ａは、棚板３１０のＹ方向の中央部に設けられている。１つの第２空気供給口３１１Ｂは、第１空気供給口３１１Ａに比べて、バッテリパック１００の＋Ｙ方向の端部の近くに位置する。すなわち、上記１つの第２空気供給口３１１Ｂは、第１空気供給口３１１Ａに比べて、排気流路Ｐ２の近くに位置する。他方の第２空気供給口３１１Ｂは、第１空気供給口３１１Ａに比べて、バッテリパック１００の−Ｙ方向の端部の近くに位置する。
【００９７】
１つの第３空気供給口３１１Ｃは、第２空気供給口３１１Ｂに比べて、バッテリパック１００の＋Ｙ方向の端部の近くに位置する。すなわち、上記１つの第３空気供給口３１１Ｃは、第２空気供給口３１１Ｂに比べて、排気流路Ｐ２の近くに位置する。他方の第３空気供給口３１１Ｃは、第２空気供給口３１１Ｂに比べて、バッテリパック１００の−Ｙ方向の端部の近くに位置する。
【００９８】
そして、第１空気供給口３１１Ａの開口率は、第２空気供給口３１１Ｂの開口率よりも大きい。第２空気供給口３１１Ｂの開口率は、第３空気供給口３１１Ｃの開口率よりも大きい。「開口率」とは、単位面積当たりの空間の大きさ（例えば棚板３１０における開口面積）を意味する。本実施形態では、第１空気供給口３１１ＡのＹ方向の幅は、第２空気供給口３１１ＢのＹ方向の幅よりも大きい。第２空気供給口３１１ＢのＹ方向の幅は、第３空気供給口３１１ＣのＹ方向の幅よりも大きい。第１から第３の空気供給口３１１Ａ，３１１Ｂ，３１１ＣのＸ方向の幅は、互いに略同じである。
【００９９】
このような構成によれば、第１の実施形態と同様に、複数のバッテリモジュール１０の間で渦流れが生じることを抑制することができ、冷却性能の向上を図ることができる。また、本実施形態では、複数のバッテリモジュール１０のなかで温度が高くなりやすい中央部のバッテリモジュール１０（第１バッテリモジュール１０Ａおよび第２バッテリモジュール１０Ｂ）に多くの量の空気を供給することができる。これにより、複数のバッテリモジュール１０の温度の均一化を図ることができる。これは、冷却性能の向上に寄与する。
【０１００】
以上説明した少なくともひとつの実施形態によれば、バッテリユニットの第１開口部と構造体の第２開口部とを連通させる連通口を有して前記バッテリユニットと前記構造体との間に配置されたシートを持つことにより、冷却性能の向上を図ることができる。
【０１０１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０２】
１０…バッテリモジュール、１１…バッテリ、１３…モジュールケース、１４…吸気口、１５…第１通風口、１６…第２通風口、２０…シート、２１…連通口、３０…バッテリパックケース、３１…吸気口、３２…通風口、３４…第１空気流路、３５…第２空気流路、３６…上部通風口、５０…ダミーモジュール、１００…バッテリパック、２００…筐体、３００…ラック、３１０…棚板、３２０…背面板、３１１…空気供給口、３１１Ａ…第１空気供給口、３１１Ｂ…第２空気供給口、３１１Ｃ…第３空気供給口、３２１…空気排出口、３２１Ａ…第１空気排出口、３２１Ｂ…第２空気排出口、５００…シート、５０１…第１連通口、５０２…第２連通口、１０００…バッテリ盤、ｇ…通風隙間、Ｐ１…吸気流路、Ｐ２…排気流路。
【図１】
2018195538.tif 000003
【図２】
2018195538.tif 000004
【図３】
2018195538.tif 000005
【図４】
2018195538.tif 000006
【図５】
2018195538.tif 000007
【図６】
2018195538.tif 000008
【図７】
2018195538.tif 000009
【図８】
2018195538.tif 000010
【図９】
2018195538.tif 000011
【図１０】
2018195538.tif 000012
【図１１】
2018195538.tif 000013
【図１２】
2018195538.tif 000014
【図１３】
2018195538.tif 000015